(57)【要約】【課題】画質を変化させた複数コマの画像を順次表示すること。【解決手段】画像処理部１０４ａは、撮像素子１０３で被写体像を撮像して取得した撮像画像に基づいて表示用画像を生成する。表示制御部１０４ｂは、表示用画像の画質を異なる変化度合いで複数段階に変化させて得られた複数コマの変化画像を、画質の変化度合いに応じた順序で各コマごとに切り替えながらモニタ１０７へ表示する。【選択図】図１
2008187498.tif 000002
【特許請求の範囲】
【請求項１】
被写体像を撮像して画像を取得する撮像手段と、
前記撮像手段で取得した撮像画像に基づいて表示用画像を生成する表示用画像生成手段と、
前記表示用画像生成手段で生成した前記表示用画像を表示する表示手段と、
前記表示手段に表示した前記表示用画像の画質を異なる変化度合いで複数段階に変化させて得られた複数コマの変化画像を、前記画質の変化度合いに応じた順序で各コマごとに切り替えながら前記表示手段に表示する表示制御手段とを備えることを特徴とするカメラ。
【請求項２】
請求項１に記載のカメラにおいて、
前記表示制御手段は、所定の切り替え時間間隔で、または使用者からの指示に基づいて前記表示手段に表示する前記変化画像を切り替えることを特徴とするカメラ。
【請求項３】
請求項１または２に記載のカメラにおいて、
前記表示手段に表示された前記変化画像を選択する選択手段と、
前記選択手段で選択された前記変化画像における前記画質の変化度合いに応じて、前記撮像画像を補正するための補正値を算出する補正値算出手段とをさらに備えることを特徴とするカメラ。
【請求項４】
請求項３に記載のカメラにおいて、
前記補正値算出手段で算出した前記補正値、前記撮像画像、および前記表示用画像を関連付けて記録する記録手段をさらに備えることを特徴とするカメラ。
【請求項５】
請求項３または４に記載のカメラにおいて、
前記撮像手段が連写によって複数枚の前記撮像画像を連写画像群として取得した場合には、
前記補正値算出手段は、前記連写画像群のうち１枚の撮像画像を補正するための前記補正値を算出し、前記連写画像群に含まれる他の撮像画像には同じ補正値を適用することを特徴とするカメラ。
【請求項６】
請求項３〜５のいずれか一項に記載のカメラにおいて、
前記補正値算出手段で算出した前記補正値に基づいて、前記撮像手段による撮影条件を決定する撮影条件決定手段をさらに備えることを特徴とするカメラ。
【請求項７】
請求項１〜６のいずれか一項に記載のカメラにおいて、
前記表示制御手段は、前記表示手段に表示中の前記変化画像の画質の変化度合いを示す情報を、前記表示手段に表示することを特徴とするカメラ。
【請求項８】
請求項１〜７のいずれか一項に記載のカメラにおいて、
前記表示制御手段は、前記表示用画像の明度、および表示倍率の少なくとも１つを変化させることによって、前記表示用画像の画質を変化させることを特徴とするカメラ。
【請求項９】
請求項８に記載のカメラにおいて、
前記撮像手段が露出値を変化させながら複数枚の前記撮像画像を取得した場合には、
前記表示制御手段は、前記露出値が異なる複数枚の撮像画像のうち、最も露出値が低い撮像画像に基づいて生成された表示用画像の明度を変化させた複数コマの前記変化画像を得て、その中の明るい変化画像から暗い変化画像に向けて前記変化画像を切り替えることを特徴とするカメラ。
【請求項１０】
請求項１〜９のいずれか一項に記載のカメラにおいて、
前記表示手段は、画像を表示するための表示装置、または画像を投影面に投影して表示するための投影装置であることを特徴とするカメラ。
【請求項１１】
請求項１０に記載のカメラにおいて、
前記表示制御手段は、前記撮像画像に対して画像処理を行なって前記撮像画像の画質を変化させるか、あるいは前記表示装置への表示輝度、または前記投影装置の投影輝度を変化させることによって、擬似的に前記撮像画像の画質を変化させることを特徴とするカメラ。
【発明の詳細な説明】
【技術分野】
【０００１】
本発明は、画像を撮影するためのカメラに関する。
【背景技術】
【０００２】
次のようなデジタルカメラが知られている。このデジタルカメラは、撮影した画像の画質を数段階に分けて補正し、得られた補正画像をカメラ本体の液晶モニタに一覧表示する。そして、使用者が好みの画質の画像を選択すると、選択された画像を保存する（例えば、特許文献１）。
【０００３】
【特許文献１】特開平１１−２９８８４８号公報
【発明の開示】
【発明が解決しようとする課題】
【０００４】
しかしながら、従来のデジタルカメラでは、補正画像をカメラ本体の液晶モニタに一覧表示して使用者に提示していたため、各画像の表示サイズが小さく、使用者はどの画像が好みの画質であるかを判別し難いという問題があった。
【課題を解決するための手段】
【０００５】
本発明によるカメラは、被写体像を撮像して画像を取得し、取得した撮像画像に基づいて表示用画像を生成し、生成した表示用画像を表示し、表示した表示用画像の画質を異なる変化度合いで複数段階に変化させて得られた複数コマの変化画像を、画質の変化度合いに応じた順序で各コマごとに切り替えながら表示することを特徴とする。
本発明では、所定の切り替え時間間隔で、または使用者からの指示に基づいて表示する変化画像を切り替えることが好ましい。
また、使用者によって選択された変化画像における画質の変化度合いに応じて、撮像画像を補正するための補正値を算出することが好ましく、算出した補正値、撮像画像、および表示用画像を関連付けて記録するようにしてもよい。
撮像手段が連写によって複数枚の撮像画像を連写画像群として取得した場合には、連写画像群のうち１枚の撮像画像を補正するための補正値を算出し、連写画像群に含まれる他の撮像画像には同じ補正値を適用するようにしてもよい。
また、算出した補正値に基づいて撮影条件を決定するようにしてもよく、表示中の変化画像の画質の変化度合いを示す情報を表示するようにしてもよく、表示用画像の明度、および表示倍率の少なくとも１つを変化させることによって、表示用画像の画質を変化させるようにしてもよい。
また、像手段が露出値を変化させながら複数枚の撮像画像を取得した場合には、露出値が異なる複数枚の撮像画像のうち、最も露出値が低い撮像画像に基づいて生成された表示用画像の明度を変化させた複数コマの変化画像を得て、その中の明るい変化画像から暗い変化画像に向けて変化画像を切り替えるようにしてもよい。
さらに、表示手段は、画像を表示するための表示装置、または画像を投影面に投影して表示するための投影装置であることが好ましく、撮像画像に対して画像処理を行なって撮像画像の画質を変化させるか、あるいは表示装置への表示輝度、または投影装置の投影輝度を変化させることによって、擬似的に撮像画像の画質を変化させるようにしてもよい。
【発明の効果】
【０００６】
本発明によれば、使用者は容易に好みの画質の画像を判別することができる。
【発明を実施するための最良の形態】
【０００７】
図１は、本実施の形態におけるカメラの一実施の形態の構成を示すブロック図である。カメラ１００は、入力スイッチ１０１と、レンズ１０２と、撮像素子１０３と、制御装置１０４と、メモリ１０５と、メモリカードスロット１０６と、モニタ１０７とを備えている。入力スイッチ１０１は、使用者によって操作される種々の入力部材を含んでいる。入力スイッチ１０１に含まれる入力部材の具体例は、図２により後述する。
【０００８】
レンズ１０２は、複数の光学レンズ群から構成されるが、図１では代表して１枚のレンズで表している。撮像素子１０３は、例えばＣＣＤやＣＭＯＳであり、レンズ１０２により結像した被写体像を撮像して画像を取得する。そして、取得した画像のデータ（画像データ）を制御装置１０４へ出力する。制御装置１０４は、入力された画像データをメモリ１０５へ出力して記録し、後述するように画像データに対して種々の画像処理を施す。
【０００９】
メモリ１０５は、撮像素子１０３で撮像された画像を一時的に記録するバッファメモリとして使用され、さらに、後述する制御装置１０４で実行される種々のプログラムが格納されている。メモリカードスロット１０６は、画像を記録する記録媒体としてのメモリカードを挿入するためのスロットであり、メモリカードにデータを書き込んだり、メモリカードからデータを読み込んだりすることができる。
【００１０】
モニタ１０７は、デジタルカメラ１００の背面に搭載された液晶モニタ（背面モニタ）であり、撮像素子１０３で撮像された画像やメモリカードから読み込んだ画像を表示する。また、カメラ１００を設定するための設定メニューなども表示される。
【００１１】
図２は、カメラ１００の背面へのモニタ１０７の配置例、およびカメラ１００の上面および背面への入力スイッチ１０１に含まれる各種操作部材の配置例を示す図である。なお、図２においては、本実施の形態で必要となる操作部材を中心に図示し、他の操作部材は表示を省略してある。図２に示す例では、入力スイッチ１０１に含まれる電源ボタン２ａ、およびレリーズボタン２ｂがカメラ１００の上面に配置されている。また、入力スイッチ１０１に含まれるダイヤル２ｃ、決定ボタン２ｄ、再生ボタン２ｅ、削除ボタン２ｆがカメラ１００の背面に配置されている。さらに、マルチセレクタボタン２ｇがカメラ１００の前面から背面に貫通するように配置されている。
【００１２】
制御装置１０４は、ＣＰＵ、メモリ、およびその他の周辺回路により構成され、画像処理部１０４ａと、表示制御部１０４ｂと、補正値算出部１０４ｃと、画像記録部１０４ｄと、撮影条件決定部１０４ｅとを機能的に有している。なお、１０４ａ〜１０４ｅの各要素による処理は、制御装置１０４がメモリ１０５からプログラムを読み込んで起動することによって実行される。以下、１０４ａ〜１０４ｅの各要素による処理について説明する。
【００１３】
画像処理部１０４ａは、メモリ１０５に一時的に記録された画像データに対して階調補正処理や輪郭強調処理などの種々の画像処理が施した後、所定の画像形式、例えばＪｐｅｇ形式に圧縮する。また、モニタ１０７に表示するための表示用画像を生成する。表示用画像としては、サムネイル画像やラージサムネイル画像が生成される。画像処理部１０４ａは、生成した表示用画像を表示制御部１０４ｂに出力する。また、生成したＪｐｅｇ画像、すなわち撮像画像に、表示用画像の画像データや画像の撮影日時などの種々の付加情報を付加した画像ファイル、例えばＥｘｉｆ形式の画像ファイルを生成し、生成した画像ファイルを画像記録部１０４ｄへ出力する。
【００１４】
表示制御部１０４ｂは、画像処理部１０４ａから入力された表示用画像をモニタ１０７へ出力して表示する。これによって、使用者は撮影した画像をその場で確認することができる。また、画像記録部１０４ｄは、画像処理部１０４ａから入力された画像ファイルをメモリカードスロット１０６へ出力してメモリカードに記録する。
【００１５】
表示制御部１０４ｂはまた、使用者によって入力スイッチ１０１に含まれる再生ボタン２ｅが操作され、メモリカードに記録されている画像の再生が指示されると、メモリカードから画像ファイルを読み込み、画像ファイル内から表示用画像を抽出してモニタ１０７に表示する。例えば、表示制御部１０４ａは、使用者によって選択された１枚の画像の表示用画像をモニタ１０７に表示したり、複数枚の表示用画像を順番にスライドショー表示したりする。
【００１６】
画像処理部１０４ａは、このように表示制御部１０４ｂが表示用画像をモニタ１０７に表示している状態で、使用者によって所定の操作がされた場合には、画質調整モードへの移行が指示されたと判断する。なお、この所定の操作については後述する。画像処理部１０４ａは、画像調整モードへの移行が指示されたと判断した場合には、モニタ１０７に表示されている表示用画像を画像処理対象の画像（対象画像）として特定する。
【００１７】
画像処理部１０４ａは、特定した対象画像を異なる変化度合いで複数段階に変化させるように画像処理を施して複数コマの変化画像を得る。画像処理部１０４ａは、当該変化画像を各コマごとに生成して、生成した変化画像を順次メモリ１０５へ出力していく。表示制御装置１０４ｂは、画像処理部１０４ａによって生成され、メモリ１０５に記録された各コマの変化画像を、その変化度合いに応じた順序でモニタ１０７に表示する。
【００１８】
なお、本実施の形態におけるカメラ１００では、各コマの変化画像を所定の切り替え時間間隔で自動的に切り替える自動切換モードと、使用者による入力スイッチ１０１の操作によって切り替える手動切替モードとを備えている。例えば、画質調整モードへの移行を指示するための所定の操作として、使用者によって入力スイッチ１０１に含まれる再生ボタン２ｅが長押しされたことを検出した場合には、画像処理部１０４ａは、自動切換モードが選択されたものと判断する。これに対して、画質調整モードへの移行を指示するための所定の操作として、使用者によってマルチセレクタボタン２ｇが長押しされたことを検出した場合には、画像処理部１０４ａは、手動切換モードが選択されたものと判断する。
【００１９】
使用者によって自動切換モードが選択された場合には、画像処理部１０４ａは、各コマの変化画像を生成しながら生成した変化画像をメモリ１０５へ出力していく。例えば、画像処理部１０４ａは、１コマの変化画像を表示制御部１０４ｂに出力してモニタ１０７に表示している間に、次のコマの変化画像を準備し、メモリ１０５へ出力する。そして、表示制御部１０４ｂは、画像処理部１０４ａによって次のコマの変化画像がメモリ１０５に記録されたことを検出すると、その変化画像を読み込んでそれをモニタ１０７へ出力する。これによって、モニタ１０７には自動的に変化画像が各コマごとに切り替わりながら表示されることになる。
【００２０】
一方、使用者によって手動切替モードが選択された場合には、画像処理部１０４ａは、各コマの変化画像を生成しながら生成した変化画像をメモリ１０５へ出力していく。そして、表示制御部１０４ｂは、使用者によって入力スイッチ１０１に含まれる所定のボタン、例えばダイヤル２ｃが右方向に回転されて次のコマの変化画像の表示が指示された場合に、次のコマの変化画像をメモリ１０５から読み込んでモニタ１０７へ表示する。また、使用者によってダイヤル２ｃが左方向に回転されて、１つ前のコマの変化画像の表示が指示された場合には、１つ前のコマの変化画像をメモリ１０５から読み込んでモニタ１０７へ表示する。これによって、モニタ１０７に表示する変化画像を使用者からの指示に基づいて切り替えることができる。
【００２１】
本実施の形態では、画像処理部１０４ａは、対象画像の明度をモニタ１０７の色再現可能範囲内で１０段階に変化させて、１枚の対象画像に対して１０コマの変化画像を生成する例について説明する。なお、モニタ１０７の色再現可能範囲は、あらかじめ試験結果に基づいて設定されており、画像処理部１０４ａはあらかじめ設定されている色再現可能範囲に基づいて、その範囲内で明度を１０段階に変化させた１０コマの変化画像を生成する。具体的には、次のように処理する。
【００２２】
画像処理部１０４ａは、まず、モニタ１０７の色再現可能範囲に基づいて、表示可能な明度の上限と下限を特定する。そして、上限と下限との間で所定の変化度合いで明度が変化するように、１０段階の明度を設定する。その後、画像処理部１０４ａは、上述したように特定した対象画像を対応する画像ファイル内から読み込んで、その明度をモニタ１０７の色再現可能範囲の上限に変化させた変化画像を生成して、メモリ１０５へ出力する。次に、画像処理部１０４ａは、明度を上限から１段階低下させた変化画像を生成して、メモリ１０５へ出力する。
【００２３】
そして、画像処理部１０４ａは、明度を１段階ずつ低下させながら変化画像を生成し、下限まで低下させた変化画像を生成してメモリ１０５へ出力するまで、この処理を繰り返す。これによって、明度を所定の変化度合いで１０段階に変化させた１０コマの変化画像を生成して、メモリ１０５へ出力することができる。
【００２４】
表示制御部１０４ｂは、メモリ１０５に記録された変化画像を、上述したように、あらかじめ設定されている切替モードに応じてモニタ１０７に出力して表示する。すなわち、自動切換モードに設定されている場合には、表示制御部１０４ｂは、メモリ１０５に変化画像が出力されるごとに、それを読み込んでモニタ１０７へ出力する。また、手動切替モードに設定されている場合には、使用者によるダイヤルの操作を検出して、次のコマの変化画像、または前のコマの変化画像への切り替えを行う。
【００２５】
表示制御部１０４ｂは、モニタ１０７に変化画像を表示するに当たっては、表示中の変化画像における明度の変化の度合いに関する情報をモニタ１０７に表示する。これによって、使用者は、現在表示されている変化画像が、画像処理が行なわれる前の表示用画像（元画像）からどれだけ明度を変化させた画像であるかを把握することができる。表示制御部１０４ｂは、例えば図３に示すように、モニタ１０７に表示した変化画像上に、その変化画像が元画像から何段階明度を変化させた画像であるかを数値で明示する。
【００２６】
すなわち、表示制御部１０４ｂは、表示中の画像が元画像と同じ明度の画像である場合には、図３（ａ）に示すように、画像上に「０」を表示する。また、表示中の変化画像が元画像に対して１段階明度を上げるように画像処理を施した変化画像である場合には、図３（ｂ）に示すように、変化画像上に「＋１」を表示する。また、表示中の変化画像が元画像に対して１段階明度を下げるように画像処理を施した変化画像である場合には、図３（ｃ）に示すように、変化画像上に「−１」を表示する。
【００２７】
使用者は、上述した処理によってモニタ１０７に順番に表示される変化画像の中から、好みの画質の変化画像を決定ボタン２ｄを押下して選択することができる。使用者によっていずれかの変化画像が選択された場合には、補正値算出部１０４ｃは、選択された変化画像の画像処理の度合いに基づいて、変化画像を生成した元になった表示用画像に対応する撮像画像を補正するための補正値を算出する。補正値算出部１０４ｃによる補正値算出処理については、後述する。
【００２８】
なお、表示制御部１０４ｂは、切替モードが自動切換モードに設定されている場合に、使用者によって決定ボタン２ｄが押下されることなく、明度をモニタ１０７の色再現可能範囲の下限まで変化させた変化画像を表示した場合には、使用者に対して再度上限の変化画像から表示を繰り返すか否かの判断を促すための確認画面をモニタ１０７に表示する。そして、繰り返しが指示された場合には、表示制御部１０４ｂは、メモリ１０５に記録されている明度が上限となるように画像処理された変化画像を読み込んでモニタ１０７に表示して、明度を１段階ずつ低下させるように表示する変化画像を切り替えて行く。
【００２９】
これに対して、繰り返しが指示されない場合には、当該変化画像の中に使用者の好みの画質がないと判断できることから、画像処理部１０４ａは、対応する撮像画像に対する補正は不可であると判断する。そして、画像処理部１０４ａは、このような画像は撮影に失敗した画像である可能性が高いことから、変化画像の元になった表示用画像を含む画像ファイルを圧縮した圧縮ファイルを生成する。
【００３０】
そして、画像記録部１０４ｄは、メモリカードスロット１０６を介して、メモリカード内に圧縮ファイルを格納するためのフォルダを作成して、生成された圧縮ファイルを当該フォルダ内に記録する。これによって、画像処理を行なって補正しても使用者の好みの画質に近づけることができない画像を別フォルダに圧縮して記録することができ、メモリカードの使用量を減らすことができる。
【００３１】
次に、補正値算出部１０４ｃによる補正値算出処理について説明する。補正値算出部１０４ｃは、選択された変化画像が明度を変化させる前の表示用画像（元画像）に対して何段階明度を変化させた画像であるかを判断する。そして、元画像の明るさを選択された変化画像の明るさに補正するための補正値を算出する。これによって、撮像画像を使用者の好みの画質に補正するための補正値を算出することができる。
【００３２】
画像記録部１０４ｄは、補正値を算出した撮像画像の画像ファイルのＥｘｉｆ情報内に、算出した補正値を格納する。これによって、撮像画像、表示用画像、および補正値を関連付けてメモリカード内に記録することができる。
【００３３】
撮影条件決定部１０４ｅは、上述した処理で算出した補正値が、使用者が撮影した画像をモニタ１０７で確認している状態で画質調整モードへ移行した場合に算出されたものである場合には、使用者は続けて画像の撮影を行う可能性があると判断する。そして、それ以降に撮影される画像が、補正を行わなくても使用者の好みの画質で撮影されるように、撮影時の撮影条件を補正値に基づいて決定する。例えば、撮像画像の明度を１段階上げるための補正値が算出された場合には、撮影条件決定部１０４ｅは、撮影する画像の明るさが補正値に相当する量だけ明るくなるように、撮影条件としての露出を変化させる。これによって、それ以降に取得される撮像画像は、使用者の好みにあった明るさで撮影されるようになる。
【００３４】
図４は、本実施の形態におけるカメラ１００の処理を示すフローチャートである。図４に示す処理は、使用者によってモニタ１０７上で上述した対象画像が選択され、画質調整モードへの移行が指示されると起動するプログラムとして制御装置１０４によって実行される。
【００３５】
ステップＳ１０において、画像処理部１０４ａは、モニタ１０７の色再現可能範囲内で明度が最大となるように対象画像に対して画像処理を施して、変化画像を生成し、メモリ１０５へ出力する。その後、ステップＳ２０へ進み、表示制御部１０４ｂは、画像処理部１０４ａで生成された変化画像をメモリ１０５から読み込んでモニタ１０７へ出力する。さらに表示制御部１０４ｂは、図３で上述したように、表示した変化画像の元画像からの変化の度合いを示す情報をモニタ１０７へ出力する。その後、ステップＳ３０へ進む。
【００３６】
ステップＳ３０では、使用者によって、現在表示中の変化画像を好みの画質の画像であることを選択するために、決定ボタン２ｄが押下されたか否かを判断する。肯定判断した場合には、ステップＳ４０へ進み、補正値算出部１０４ｃは、上述したように、選択された変化画像に基づいて、撮像画像を使用者の好みの画質に補正するための補正値を算出して、ステップＳ５０へ進む。ステップＳ５０では、画像記録部１０４ｄは、撮像画像と表示用画像と補正値とを関連付けた画像ファイルをメモリカードスロット１０６へ出力して、記録媒体であるメモリカードに記録する。その後、ステップＳ６０へ進む。
【００３７】
ステップＳ６０では、補正値を算出した画像が記録媒体から読み込んだものか否かを判断する。否定判断した場合、すなわち、補正値を算出した画像が使用者によって撮影された直後の画像である場合には、ステップＳ７０へ進む。ステップＳ７０では、撮影条件決定部１０４ｅは、上述したように、それ以降に撮影される画像が、補正を行わなくても使用者の好みの画質で撮影されるように、補正値に基づいて撮影時の撮影条件を決定する。その後、処理を終了する。一方、ステップＳ６０で肯定判断した場合には、そのまま処理を終了する。
【００３８】
次に、ステップＳ３０では、使用者によって決定ボタンが押下されなかったと判断した場合の処理について説明する。この場合には、ステップＳ８０へ進み、ステップＳ８０では、画像処理部１０４ａは、使用者による画質調整モードへの移行時の操作内容に基づいて、変化画像の切替モードが自動切換モードであるか否かを判断する。肯定判断した場合には、ステップＳ９０へ進む。
【００３９】
ステップＳ９０では、表示制御部１０４ｂは、現在モニタ１０７に表示されている変化画像の明度がモニタ１０７の色再現可能範囲内の最低明度であるか否かを判断する。肯定判断した場合には、それ以上明度を下げることができないため、ステップＳ１００へ進む。ステップＳ１００では、表示制御部１０４ｂは、使用者に対して再度上限の変化画像から表示を繰り返すか否かの判断を促すための確認画面をモニタ１０７に表示し、その応答として繰り返しが指示されたか否かを判断する。肯定判断した場合には、ステップＳ１０へ戻って処理を繰り返す。これに対して、否定判断した場合には、ステップＳ１１０へ進む。
【００４０】
ステップＳ１１０では、画像処理部１０４ａは、上述したように、現在モニタ１０７に表示している変化画像の元になった表示用画像を含む画像ファイルを圧縮した圧縮ファイルを生成する。そして、画像記録部１０４ｄは、メモリカードスロット１０６を介して、メモリカード内に圧縮ファイルを格納するためのフォルダを作成して、生成された圧縮ファイルを当該フォルダ内に記録する。その後、処理を終了する。
【００４１】
また、ステップＳ９０で否定判断した場合には、ステップＳ１２０へ進み、画像処理部１０４ａは、対象画像に基づいて、その明度を現在モニタ１０７に表示している変化画像の明度から１段階低下させた変化画像を生成して、メモリ１０５へ出力して、ステップＳ２０へ戻る。
【００４２】
一方、ステップＳ８０で否定判断した場合、すなわち変化画像の切替モードが手動モードであると判断した場合には、ステップＳ１３０へ進む。ステップＳ１３０では、使用者によってダイヤル２ｃが操作されて、変化画像の切り替えが指示されたか否かを判断する。否定判断した場合には、ステップＳ３０へ戻る。これに対して、肯定判断した場合には、ステップＳ１４０へ進む。ステップＳ１４０では、表示制御部１０４ｂは、使用者によるダイヤル２ｃの操作に応じてモニタ１０７に表示する変化画像を切り替える。その後、ステップＳ２０へ戻る。
【００４３】
以上説明した本実施の形態によれば、以下のような作用効果を得ることができる。
（１）撮像画像に基づいて表示用画像を生成しておき、モニタ１０７に表示した表示用画像の画質を異なる変化度合いで複数段階に変化させて得られた複数コマの変化画像を、画質の変化度合いに応じた順序で各コマごとに切り替えながらモニタ１０７に表示するようにした。これによって、使用者はモニタ１０７に表示される変化画像を確認することで、好みの画質を容易に判別することができる。
【００４４】
（２）変化画像の切替モードとして自動切換えモードと手動切替モードとを備えるようにした。そして、自動切換えモードのときは所定の切り替え時間間隔で変化画像を切り替えるようにし、手動切替モードのときは使用者によるダイヤル２ｃの操作に基づいて変化画像を切り替えるようにした。これによって、使用者は変化画像の切り替え方法を好みに応じて選択することができる。
【００４５】
（３）使用者がモニタ１０７に表示中の変化画像を選択できるようにし、使用者によって変化画像が選択された場合には、選択された変化画像における画質の変化度合いに応じて、撮像画像を補正するための補正値を算出するようにした。これによって、使用者は好みの画質を選択するだけで、撮像画像を好みの画質に補正するための補正値を自動的に算出することができ、使用者の利便性が向上する。
【００４６】
（４）撮像画像、表示用画像、および撮像画像を補正するための補正値を関連付けた画像ファイルを記録媒体に記録するようにした。これによって、他の装置、例えばパソコンなどで画像ファイルを読み込んだときに、補正値を用いて撮像画像を補正することができ、カメラ１００で算出した補正値を有効に活用することができる。
【００４７】
（５）選択された変化画像に基づいて算出した補正値に基づいて、撮影時の撮影条件を決定するようにした。これによって、使用者の好みの画質を撮影するための撮影条件を自動的に決定することができ、使用者の好みの画質の画像が得られるように撮影することができるようになる。
【００４８】
（６）モニタ１０７に変化画像を表示するとともに、表示中の変化画像の画質の変化度合いを示す情報も表示するようにした。これによって、使用者は、表示中の変化画像の画質が元画像からどれだけ変化したかを容易に把握することができる。
【００４９】
―変形例―
なお、上述した実施の形態のカメラは、以下のように変形することもできる。
（１）上述した実施の形態では、画像処理部１０４ａは、表示用画像の明度をモニタ１０７の色再現可能範囲内で１０段階に変化させて、その上限から下限に向けて１段階ずつ下げながら各コマの変化画像を生成するようにした。そして、表示制御部１０４ａは、画像処理部１０４ａによって生成された順番でモニタ１０７に表示用画像を表示する例について説明した。しかしながら、画像処理部１０４ａは、表示用画像の明度を９段階以下、または１１段階以上に変化させてもよい。また、モニタ１０７の色再現可能範囲の下限から上限に向けて１段階ずつ上げながら各コマの変化画像を生成するようにしてもよい。
【００５０】
例えば、カメラ１００が露出値を変化させながら複数枚の撮像画像を取得するためのオートブラケットモードを搭載しており、当該オートブラケットモードで露出値が異なる複数枚の撮像画像が取得された場合について説明する。この場合には、画像処理部１０４ａ、および表示制御部１０４ｂは、露出値が異なる複数枚の撮像画像のうち、最も露出値が低い撮像画像に基づいて生成した表示用画像の明度を変化させた複数コマの変化画像を得て、その中の明るい変化画像から暗い変化画像に向けて変化画像を切り替えるようにすればよい。
【００５１】
（２）上述した実施の形態では、表示制御部１０４ｂは、切替モードが自動切換モードに設定されている場合に、明度をモニタ１０７の色再現可能範囲の下限まで変化させた変化画像を表示した場合には、使用者に対して再度上限の変化画像から表示を繰り返すか否かの判断を促すための確認画面をモニタ１０７に表示するようにした。そして、使用者によって繰り返しが指示された場合には、メモリ１０５に記録されている明度が上限となるように画像処理された変化画像を読み込んでモニタ１０７に表示して、明度を１段階ずつ低下させるように変化画像を切り替える例について説明した。しかしながら、表示制御部１０４ａは、使用者に確認を求めずに自動的に上限の変化画像からの表示を繰り返すようにしてもよい。また、自動的に下限の変化画像から上限の変化画像に向けて変化画像を切り替えるようにしてもよい。
【００５２】
（３）上述した実施の形態では、画像処理部１０４ａは、変化画像を各コマごとに生成して、生成した変化画像を順次メモリ１０５へ出力していき、表示制御装置１０４ｂは、メモリ１０５に記録された各コマの変化画像を、その変化度合いに応じた順序でモニタ１０７に表示する例について説明した。すなわち、画像処理部１０４ａで変化画像を生成しながら表示制御装置１０４ｂで変化画像を表示する例について説明した。しかしながら、画像処理部１０４ａは、使用者によって画質調整モードへの移行が指示され時点で、あらかじめ全てのコマの変化画像を生成してメモリ１０５へ出力しておき、表示制御部１０４ｂは、メモリ１０５に記録されている複数コマの変化画像を、その変化度合いに応じた順序で読み込んでモニタ１０７に表示するようにしてもよい。
【００５３】
（４）上述した実施の形態では、モニタ１０７の色再現可能範囲は、あらかじめ試験結果に基づいて設定されている例について説明した。しかしながら、モニタ１０７の色再現可能範囲を使用者が任意に設定できるようにしてもよい。あるいは、モニタ１０７の色再現可能範囲をあらかじめ試験結果に基づいて設定しておき、使用者がこの設定値を変更できるようにしてもよい。
【００５４】
（５）上述した実施の形態では、画像処理部１０４ａは、取得した画像をＪｐｅｇ形式に圧縮し、モニタ１０７に表示するための表示用画像を生成した。そして、画質調整モードへの移行が指示された場合には、表示用画像を対象画像として明度を変化させて変化画像を生成する例について説明した。しかしながら、取得した画像をＲＡＷのまま扱う場合には、画像処理部１０４ａは、ＲＡＷに画像処理を施して明度を変化させた後に、モニタ１０７への表示に適した表示用画像を生成するようにしてもよい。
【００５５】
（６）上述した実施の形態では、画像処理部１０４ａは、対象画像の明度を変化させることによって画質を変化させた複数コマの変化画像を生成する例について説明した。しかしながら、画像処理によって明度以外の属性を変化させて画質を変化させるようにしてもよい。例えば、対象画像の表示倍率を変化させた変化画像を生成するようにしてもよい。具体的には、画像処理部１０４ａは、対象画像内から公知の顔認識処理によって人物の顔が含まれる領域を特定し、特定した領域を拡大するように対象画像の表示倍率を変化させてもよい。これによって、使用者は主要被写体である人物の顔が好みの大きさに写っている画像を選択することができるようになる。
【００５６】
（７）上述した実施の形態では、表示制御手段１０４ａは、使用者によって選択された１枚の対象画像の変化画像をモニタ１０７上に切り替えて表示する例について説明した。しかしながら、使用者が複数枚の表示用画像を対象画像として選択できるようにし、使用者よって選択された複数枚の対象画像の変化画像を同時にモニタ１０７上に表示してもよい。これによって、使用者は１画面内で複数の変化画像を１度に確認することができるようになる。
【００５７】
（８）上述した実施の形態では、使用者によって選択された対象画像に基づいて撮像画像を補正するための補正値を算出する例について説明した。このため、上述した実施の形態では、各撮像画像ごとに補正値の算出処理を行う必要があった。しかしながら、カメラ１００が連写機能を備えており、連写によって複数枚の撮像画像を連写画像群として取得した場合には、連写画像群のうち１枚の撮像画像を補正するための補正値を算出し、連写画像群に含まれる他の撮像画像には同じ補正値を適用するようにしてもよい。これによって、連写で取得した連写画像群は、全て撮影条件が同じである可能性が高いことから、１枚の画像について補正値を算出すれば、他の画像にも同じ補正値を適用できることを加味して、使用者の手間を省くことができる。
【００５８】
（９）上述した実施の形態では、画像処理部１０４ａによって対象画像に対して複数段階に明度を変化させるような画像処理を施すことで変化画像を生成し、表示制御部１０４ａは、当該変化画像を順番にモニタ１０７に表示する例について説明した。しかしながら、画像処理部１０４ａで画像処理を行なわずに、表示制御部１０４ａがモニタ１０７の表示輝度を複数段階に変化させることによって、モニタ１０７に表示される対象画像の明度を擬似的に変化させるようにしてもよい。これによって、画像処理にかかるＣＰＵ負荷を低減することができる。
【００５９】
（１０）上述した実施の形態では、カメラ１００はモニタ１０７を備え、表示制御部１０４ａは、表示用画像や変化画像を表示装置であるモニタ１０７へ出力する例について説明した。しかしこれに限定されず、カメラ１００がモニタ１０７に代えて、またはモニタ１０７と共に、出力信号を投影面に投影する投影装置であるプロジェクタを備える場合には、表示用画像や変化画像をプロジェクタで投影して投影面に表示してもよい。また、この場合には、上述した変形例（９）を適用して、表示制御部１０４ａは、プロジェクタの投影輝度を複数段階に変化させることによって、投影面に投影される対象画像の明度を擬似的に変化させるようにしてもよい。
【００６０】
図５に、投影装置としてのプロジェクタを備えたカメラの構成例を示す。なお、図５においては、図１に示したブロック図と同様の構成については同じ符号を付与し、ここでは相違点を中心に説明する。この図５に示すように、カメラ１００は、プロジェクタ装置に相当する投影部１０８を備えている。表示制御部１０４ａは、表示用画像や変化画像を投影部１０８へ出力することによって、表示用画像や変化画像をスクリーン等の投影面に投影して表示する。また、表示制御部１０４ａは、投影部１０８による投影輝度を複数段階に変化させることによって、投影面に投影される対象画像の明度を擬似的に変化させる。
【００６１】
なお、本発明の特徴的な機能を損なわない限り、本発明は、上述した実施の形態における構成に何ら限定されない。
【図面の簡単な説明】
【００６２】
【図１】カメラの一実施の形態の構成を示すブロック図である。
【図２】カメラの背面を模式的に示す図である。
【図３】モニタ１０７への変化画像の画質の変化の度合いの表示例を示す図である。
【図４】制御装置１０４による処理を示すフローチャート図である。
【図５】プロジェクタを搭載したカメラの一実施の形態の構成を示すブロック図である。
【符号の説明】
【００６３】
１００  デジタルカメラ、１０１  入力スイッチ、１０２  レンズ、１０３  撮像素子、１０４  制御装置、１０４ａ  画像処理部、１０４ｂ  表示制御部、１０４ｃ  補正値算出部、１０４ｄ  画像記録部、１０４ｅ  撮影条件決定部、１０５  メモリ、１０６  メモリカードスロット、１０７  モニタ、１０８  投影部
【図１】
2008187498.tif 000003
【図２】
2008187498.tif 000004
【図３】
2008187498.tif 000005
【図４】
2008187498.tif 000006
【図５】
2008187498.tif 000007